(57)【特許請求の範囲】
【請求項１】
裏面（３Ｂ）に面状ファスナーの雌部（９）が全面にわたって形成されて上腕に取付けられる上方部材（３）と、裏面（４Ｂ）に面状ファスナーの雌部（９）が全面にわたって形成されて肘に取付けられる肘部材（４）と、上記上方部材（３）及び上記肘部材（４）の上記各雌部（９）（９）に着脱自在な面状ファスナーの雄部（８）を一面（１１）に有し上記上方部材（３）と上記肘部材（４）を連結分離可能に連結する連結片（１）とを、備えたことを特徴とするエルボガード。
【請求項２】
裏面（４Ｂ）に面状ファスナーの雌部（９）が全面にわたって形成されて肘に取付けられる肘部材（４）と、裏面（５Ｂ）に面状ファスナーの雌部（９）が全面にわたって形成されて前腕に取付けられる下方部材（５）と、上記肘部材（４）及び上記下方部材（５）の上記各雌部（９）（９）に着脱自在な面状ファスナーの雄部（８）を一面（１２）に有し上記肘部材（４）と上記下方部材（５）を連結分離可能に連結する連結片（２）とを、備えたことを特徴とするエルボガード。
【請求項３】
裏面（３Ｂ）に面状ファスナーの雌部（９）が全面にわたって形成されて上腕に取付けられる上方部材（３）と、裏面（４Ｂ）に面状ファスナーの雌部（９）が全面にわたって形成されて肘に取付けられる肘部材（４）と、裏面（５Ｂ）に面状ファスナーの雌部（９）が全面にわたって形成されて前腕に取付けられる下方部材（５）とを、備え、
上記上方部材（３）及び上記肘部材（４）の上記各雌部（９）（９）に着脱自在な面状ファスナーの雄部（８）を一面（１１）に有し上記上方部材（３）と上記肘部材（４）を連結分離可能に連結する第１連結片（１）と、上記肘部材（４）の上記雌部（９）と上記下方部材（５）の上記雌部（９）に着脱自在な面状ファスナーの雄部（８）を一面（１２）に有し上記肘部材（４）と上記下方部材（５）を連結分離可能に連結する第２連結片（２）とを、備えたことを特徴とするエルボガード。
【発明の詳細な説明】
【技術分野】
【０００１】
本発明は、球技用のエルボガードに関する。
【背景技術】
【０００２】
従来、野球やソフトボール等の球技に於て、投球されたボールが打者の腕に直接当たらないようにしてケガを防止するエルボガードが使用されている（特許文献１参照）。
特許文献１記載のエルボガードは、肘部に装着される肘部材と、肘部材に面状ファスナーによって着脱自在の第１保護部（上方部材）・第２保護部（下方部材）とを、備え、使用者の好みに応じて、第１保護部（上方部材）又は第２保護部（下方部材）、あるいは、その両方を取外して使用することが可能となっている。
【先行技術文献】
【特許文献】
【０００３】
【特許文献１】特開２０１５−４７１７１号公報
【発明の概要】
【発明が解決しようとする課題】
【０００４】
図１２（ａ）に示すように、肘部材４０を単独で使用者の腕Ａに装着するには問題が生じないが、使用者によっては、図１２（ｂ）と（ｃ）に示すように、第１保護部４１と第２保護部４２を単独で使用するケースもあった。第１保護部４１及び第２保護部４２には、肘部材取付用の舌片４４が一体に縫着されており、肘部材４０に取付けずに使用すると、第１保護部の下端縁または第２保護部の上端縁から突出した舌片４４がだらしなく垂れ下がって見栄えが悪く、また、垂れ下がった舌片４４が邪魔になったり、さらには、プレー中の使用者の精神集中を阻害するという問題があった。
【０００５】
そこで、本発明は、使用者の好みに合わせて多様な使用形態を選択でき、その何れの使用形態でもプレーの邪魔にならないエルボガードを提供することを目的とする。
【課題を解決するための手段】
【０００６】
本発明に係るエルボガードは、裏面に面状ファスナーの雌部が全面にわたって形成されて上腕に取付けられる上方部材と、裏面に面状ファスナーの雌部が全面にわたって形成されて肘に取付けられる肘部材と、上記上方部材及び上記肘部材の上記各雌部に着脱自在な面状ファスナーの雄部を一面に有し上記上方部材と上記肘部材を連結分離可能に連結する連結片とを、備えたものである。
また、裏面に面状ファスナーの雌部が全面にわたって形成されて肘に取付けられる肘部材と、裏面に面状ファスナーの雌部が全面にわたって形成されて前腕に取付けられる下方部材と、上記肘部材及び上記下方部材の上記各雌部に着脱自在な面状ファスナーの雄部を一面に有し上記肘部材と上記下方部材を連結分離可能に連結する連結片とを、備えたものである。
【０００７】
また、裏面に面状ファスナーの雌部が全面にわたって形成されて上腕に取付けられる上方部材と、裏面に面状ファスナーの雌部が全面にわたって形成されて肘に取付けられる肘部材と、裏面に面状ファスナーの雌部が全面にわたって形成されて前腕に取付けられる下方部材とを、備え、上記上方部材及び上記肘部材の上記各雌部に着脱自在な面状ファスナーの雄部を一面に有し上記上方部材と上記肘部材を連結分離可能に連結する第１連結片と、上記肘部材の上記雌部と上記下方部材の上記雌部に着脱自在な面状ファスナーの雄部を一面に有し上記肘部材と上記下方部材を連結分離可能に連結する第２連結片とを、備えたものである。
【発明の効果】
【０００８】
本発明のエルボガードによれば、使用者の好みに応じて多様な使用形態を選択できる。連結片を取外して上方部材又は肘部材（下方部材）を単独で使用することができる。上方部材又は肘部材（下方部材）を単独で使用する際、邪魔にならないように連結片を取外すことができ、上方部材と肘部材（下方部材）を連結して使用する際には、連結片を面状ファスナーにて取着して容易かつ迅速に連結状態とすることができる。製造メーカーや販売店にとっては、商品の数、あるいは、部品点数を少なくでき、在庫管理がし易く、かつ、流通も容易であり、コストを低減できる。使用者の好みやプレースタイルに合わせて、上方部材と肘部材（と下方部材）の取着位置を自在に調整できる。
【図面の簡単な説明】
【０００９】
【図１】本発明の実施の一形態を示した正面図である。
【図２】本発明の実施の一形態を示した背面図である。
【図３】連結状態を示した側面図である。
【図４】連結状態の断面側面図である。
【図５】本発明の他の実施形態を示した正面図である。
【図６】本発明の他の実施形態を示した背面図である。
【図７】連結状態を示した側面図である。
【図８】連結状態の断面側面図である。
【図９】本発明の別の実施形態を示した側面図である。
【図１０】本発明のエルボガードの使用状態を示す斜視図であって、（ａ）は上方部材のみ装着した状態の斜視図であり、（ｂ）は肘部材のみ装着した状態の斜視図であり、（ｃ）は下方部材のみ装着した状態の斜視図であり、（ｄ）は上方部材と肘部材を装着した状態の斜視図であり、（ｅ）は上方部材と下方部材を装着した状態の斜視図であり、（ｆ）は肘部材と下方部材を装着した状態の斜視図であり、（ｇ）は上方部材と肘部材と下方部材を装着した状態の斜視図である。
【図１１】上方部材と肘部材の取着位置を説明する簡略図であって、（ａ）上方部材と肘部材の取着位置の一例を示す簡略図であり、（ｂ）は他の例を示す簡略図であり、（ｃ）は別の例を示す簡略図である。
【図１２】従来のエルボガードの使用状態を示す斜視図であって、（ａ）は肘部材のみ装着した状態の斜視図であり、（ｂ）は第１保護部のみ装着した状態の斜視図であり、（ｃ）は第２保護部のみ装着した状態の斜視図である。
【発明を実施するための形態】
【００１０】
以下、実施の形態を示す図面に基づき本発明を詳説する。
図１〜図４に示すように、本発明のエルボガードは、上方部材３と、肘部材４と、連結片１とを、備え、上方部材３の裏面３Ｂ、及び、肘部材４の裏面４Ｂに、面状ファスナーの雌部９が全面にわたって形成され、かつ、連結片１は、一面１１に、各雌部９，９に着脱自在な面状ファスナーの雄部８を有し、連結片１によって、上方部材３と肘部材４を連結・分離可能として構成されている。即ち、連結片１が一部品として独立して存在し、上方部材３・肘部材４と分離自在である。
【００１１】
上方部材３は、硬質樹脂から成る弯曲板を内有する保護部１３と、保護部１３の裏面側に配設される緩衝用パッド部１４とを、積層状に有している。
上方部材３は、保護部１３と緩衝用パッド部１４が一体に縫着されており、側方へ引き出せるように装着用ベルト３０が付設されている。保護部１３は、例えば、硬質樹脂製弯曲板と、ポリエチレン系発泡樹脂又はポリウレタン系発泡樹脂と、ナイロン系又はポリエステル系合成樹脂あるいは合成皮革から成る表皮とを、積層して、外周縁の全周にわたって縁巻部１３ａが縫製されている。なお、硬質樹脂製の弯曲板のみをもって保護部１３を形成しても良い。
緩衝用パッド部１４は、肌対応面（裏面）に面状ファスナーの雌部９を全面にわたって有する裏地と、ポリエチレン系発泡樹脂又はポリウレタン系発泡樹脂から成る発泡体と、ナイロン系又はポリエステル系合成樹脂あるいは合成皮革から成る表皮とを、積層して、外周縁の全周にわたって縁巻部１４ａが縫製されている。
なお、図４では、保護部１３及び緩衝用パッド部１４の積層構造を省略して図示している。
【００１２】
肘部材４は、硬質樹脂から成る碗型板を内有するカップ部１５と、カップ部１５の裏面側に配設される緩衝用パッド部１６とを、積層状に有している。
肘部材４は、カップ部１５と緩衝用パッド部１６が一体に縫着されて、自由状態で、肘の弯曲に沿った殻形状に形成され、側方へ引き出せるように装着用ベルト３１が付設されている。カップ部１５は、例えば、硬質樹脂製碗型板と、ポリエチレン系発泡樹脂又はポリウレタン系発泡樹脂と、ナイロン系又はポリエステル系合成樹脂あるいは合成皮革から成る表皮とを、積層して、外周縁の全周にわたって縁巻部１５ａが縫製されている。なお、硬質樹脂製の碗型板のみをもってカップ部１５を形成しても良い。
緩衝用パッド部１６は、肌対応面に面状ファスナーの雌部９を全面にわたって有する裏地と、ポリエチレン系発泡樹脂又はポリウレタン系発泡樹脂から成る発泡体と、ナイロン系又はポリエステル系合成樹脂あるいは合成皮革から成る表皮とを、積層して、外周縁の全周にわたって縁巻部１６ａが縫製されている。
なお、図４では、カップ部１５及び緩衝用パッド部１６の積層構造を省略して図示している。
【００１３】
連結片１は、略長方形状に形成され、表て面１１に面状ファスナーの雄部８を有している。図１と図４では、連結片１は、表て面１１の上下中間部を除く上下領域に面状ファスナーの雄部８が形成され、ナイロン系又はポリエステル系合成樹脂あるいは合成皮革から成る表皮と、ポリエチレン系発泡樹脂又はポリウレタン系発泡樹脂から成る発泡体と、ナイロン系又はポリエステル系合成樹脂あるいは合成皮革から成る裏地とを、積層して、外周縁の全周にわたって縁巻部１ａが縫製されている。なお、図４に於て、連結片１の積層構造を省略して図示している。
【００１４】
次に、図５〜図８に示すように、上方部材３と、下方部材５と、連結片２とを、備え、上方部材３の裏面３Ｂ、及び、下方部材５の裏面５Ｂに、面状ファスナーの雌部９が全面にわたって形成され、かつ、連結片２は、一面１２に、各雌部９，９に着脱自在な面状ファスナーの雄部８を有し、連結片２によって、上方部材３と下方部材５を連結・分離可能として構成されている。即ち、連結片２が一部品として独立して存在し、上方部材３・下方部材５と分離自在である。
なお、上方部材３は、上述の実施形態と同様の構成であり、かつ、連結片２は、上述の連結片１と同様の構成である為、詳しい説明を省略する。
【００１５】
下方部材５は、硬質樹脂から成る弯曲板を内有する保護部１７と、保護部１７の裏面側に配設される緩衝用パッド部１８とを、積層状に有している。
下方部材５は、保護部１７と緩衝用パッド部１８が一体に縫着されており、側方へ引き出せるように装着用ベルト３２が付設されている。保護部１７は、例えば、硬質樹脂製弯曲板と、ポリエチレン系発泡樹脂又はポリウレタン系発泡樹脂と、ナイロン系又はポリエステル系合成樹脂あるいは合成皮革から成る表皮とを、積層して、外周縁の全周にわたって縁巻部１７ａが縫製されている。なお、硬質樹脂製の弯曲板のみをもって保護部１７を形成しても良い。
緩衝用パッド部１８は、肌対応面に面状ファスナーの雌部９を全面にわたって有する裏地と、ポリエチレン系発泡樹脂又はポリウレタン系発泡樹脂から成る発泡体と、ナイロン系又はポリエステル系合成樹脂あるいは合成皮革から成る表皮とを、積層して、外周縁の全周にわたって縁巻部１８ａが縫製されている。
なお、図８では、上方部材３、及び、連結片２、下方部材５の保護部１７及び緩衝用パッド部１８の積層構造を省略して図示している。
【００１６】
次に、図９に示すように、上方部材３と、肘部材４と、下方部材５と、第１連結片１・第２連結片２とを、備え、上方部材３の裏面３Ｂ、及び、肘部材４の裏面４Ｂ、下方部材５の裏面５Ｂに、面状ファスナーの雌部９が全面にわたって形成され、かつ、第１連結片１・第２連結片２の各面１１，１２に、雌部９，９に着脱自在な面状ファスナーの雄部８を有している。第１連結片１によって、上方部材３と肘部材４を連結・分離可能とし、かつ、第２連結片２によって、上方部材３又は肘部材４と下方部材５を連結・分離可能として構成されている。第１連結片１・第２連結片２は、各々が一部品として独立して存在し、上方部材３・肘部材４・下方部材５と分離自在である。
なお、上方部材３・肘部材４・下方部材５は、上述の実施形態と同様の構成であり、かつ、第１連結片１・第２連結片２は、上述の連結片１・連結片２と同様の構成である為、詳しい説明を省略する。
【００１７】
上述した本発明のエルボガードの使用方法（作用）について説明する。
図１０（ａ）〜（ｃ）に示すように、本発明のエルボガードは、上方部材３でも、肘部材４でも、あるいは、下方部材５でも、連結片１・連結片２を取り外して、単独で装着して使用することができる。この際、上方部材３・肘部材４・下方部材５から上下に突出するもの（連結片１・連結片２）が無く、外観上の美観が良く、かつ、邪魔になることもない。上方部材３と肘部材４と下方部材５には、各々に装着ベルト３０，３１，３２が付設されており、独立して使用者の腕Ａに装着可能である。
【００１８】
図１０（ｄ）のように、上方部材３と肘部材４を連結片１にて連結して使用する。この際、上方部材３の裏面３Ｂと肘部材４の裏面４Ｂに形成された面状ファスナーの雌部９，９に、連結片１の一面１１に形成された面状ファスナーの雄部８を取着し、連結片１を介して上方部材３と肘部材４を連結する。図１０（ｅ）では、上方部材３と下方部材５を連結片２にて連結して使用する。この際、上方部材３の裏面３Ｂと下方部材５の裏面５Ｂの面状ファスナーの雌部９，９に、連結片２の一面１２の面状ファスナーの雄部８を取着し、連結片２を介して上方部材３と下方部材５を連結する。また、図１０（ｆ）に示すように、肘部材４と下方部材５を連結片２にて連結して使用する。この際、肘部材４の裏面４Ｂと下方部材５の裏面５Ｂの面状ファスナーの雌部９，９に、連結片２の一面１２の面状ファスナーの雄部８を取着し、連結片２を介して肘部材４と下方部材５を連結する。
【００１９】
さらに、図１０（ｇ）に示すように、上方部材３と肘部材４と下方部材５を第１連結片１・第２連結片２にて順次連結して使用することもできる。上方部材３の裏面３Ｂと肘部材４の裏面４Ｂに形成された面状ファスナーの雌部９，９に、連結片１の一面１１に形成された面状ファスナーの雄部８を取着し、上方部材３と肘部材４を連結し、かつ、肘部材４の裏面４Ｂと下方部材５の裏面５Ｂに形成された面状ファスナーの雌部９，９に、連結片２の一面１２に形成された面状ファスナーの雄部８を取着し、肘部材４と下方部材５を連結する。
つまり、上方部材３と肘部材４と連結片１の組合わせによって、図１０（ａ），（ｂ），（ｄ）に示す３パターンの使用形態を選択できる。また、上方部材３と下方部材５と連結片２の組合わせによって、図１０（ａ），（ｃ），（ｅ）に示す３パターンの使用形態を選択できる。また、上方部材３と肘部材４と下方部材５、及び、第１連結片１・第２連結片２の組合わせによれば、図１０（ａ）〜（ｇ）に示す７パターンの使用形態を選択でき、使用者の好みに合わせて様々な使い方ができる。即ち、使用者は、上方部材３・肘部材４・下方部材５、及び、第１連結片１・第２連結片２を自由に組み合わせて、自分の好みやプレースタイルに合わせた使用形態を選択し、複数種類を用意する必要は無い。
また、製造メーカーや販売店にとっては、商品のラインアップを減らし、少ない共通部品で済む為、製造コストを低減でき、かつ、在庫管理も容易となる。
【００２０】
上述の構成によって、図１１に示すように、肘部材４と上方部材３の取着位置を左右方向に調整可能となる。図１１（ａ）では、肘部材４と上方部材３の左右方向中心線が同一直線上に一致するように配設され、図１１（ｂ）では、肘部材４に対し上方部材３が左側に偏在し、図１１（ｃ）では、肘部材４に対し上方部材３が右側に偏在している。
例えば、図１０（ｄ）に示す使用状態で、肘部に装着された肘部材４を基準として、上方部材３の取着位置を左右方向にずらして使用することができる。使用者のバッティングスタンスやバットの構え方によって、ボールが当たり易い場所が違ってくる為、使用者のバッティングスタイルに対応して肘部材４と上方部材３の取着位置を調整可能としている。一般的に、腕の前面にボールが当たることが多く、上方部材３が腕の前面を保護するようにずらして装着する。スイッチヒッターは、右打席に入る時は左腕にエルボガードを装着し、左打席に入る時は右腕にエルボガードを装着し、その都度、腕の前面を保護するように上方部材３の取着位置を左右に調整する。即ち、本発明のエルボガードは、右打席用・左打席用を兼用でき、右打ち、左打ち、あるいは、スイッチヒッターの全てに対応でき、かつ、製造メーカーや販売店にとっては、商品の数を減らし、部品を少なくできる利点がある。
【００２１】
連結片１は、面状ファスナーによって、上方部材３の裏面３Ｂと肘部材４の裏面４Ｂのどこにでも自由に取着できる為、連結片１の取着位置や角度を自在に変更することができる。肘部材４と上方部材３を左右にずらして装着した際、連結片１がはみ出たり、面状ファスナーの雄部８・雌部９，９の取着面積が極端に小さくなったりという問題が生じにくく、取着位置の調整の自由度が高い。
なお、もちろん肘部材４と上方部材３を接近・離間させる取着位置の調整も可能であり、肘部材４と下方部材５の位置関係、及び、上方部材３と下方部材５の位置関係に於ても同様に位置調整が可能である。
【００２２】
なお、本発明は、設計変更可能であって、例えば、連結片１は、その一面１１のほぼ全域にわたって面状ファスナーの雄部８を有するも良く、また、伸縮自在の弾性帯状片の一面に面状ファスナーの雄部８を有するものとしても良い。
【００２３】
以上のように、本発明に係るエルボガードは、裏面３Ｂに面状ファスナーの雌部９が全面にわたって形成された上方部材３と、裏面４Ｂに面状ファスナーの雌部９が全面にわたって形成された肘部材４と、上記上方部材３・上記肘部材４の上記各雌部９，９に着脱自在な面状ファスナーの雄部８を一面１１に有し上記上方部材３と上記肘部材４を連結分離可能に連結する連結片１とを、備えたので、使用者の好みに応じて３パターンの使用形態を選択できる。連結片１を取外して上方部材３又は肘部材４を単独で使用することができる。上方部材３又は肘部材４を単独で使用する際、邪魔にならないように連結片１を取外すことができ、上方部材３と肘部材４を連結して使用する際には、連結片１を面状ファスナーにて取着して容易かつ迅速に連結状態とすることができる。製造メーカーや販売店にとっては、商品の数、あるいは、部品点数を少なくでき、在庫管理がし易く、かつ、流通も容易であり、コストを低減できる。使用者の好みやプレースタイルに合わせて、上方部材３と肘部材４の取着位置を自在に調整できる。
【００２４】
また、裏面３Ｂに面状ファスナーの雌部９が全面にわたって形成された上方部材３と、裏面５Ｂに面状ファスナーの雌部９が全面にわたって形成された下方部材５と、上記上方部材３・上記下方部材５の上記各雌部９，９に着脱自在な面状ファスナーの雄部８を一面１２に有し上記上方部材３と上記下方部材５を連結分離可能に連結する連結片２とを、備えたので、使用者の好みに応じて３パターンの使用形態を選択できる。連結片２を取外して上方部材３又は下方部材５を単独で使用することができる。上方部材３又は下方部材５を単独で使用する際、邪魔にならないように連結片２を取外すことができ、上方部材３と下方部材５を連結して使用する際には、連結片２を面状ファスナーにて取着して容易かつ迅速に連結状態とすることができる。製造メーカーや販売店にとっては、商品の数、あるいは、部品点数を少なくでき、在庫管理がし易く、かつ、流通も容易であり、コストを低減できる。使用者の好みやプレースタイルに合わせて、上方部材３と下方部材５の取着位置を自在に調整できる。
【００２５】
また、裏面３Ｂに面状ファスナーの雌部９が全面にわたって形成された上方部材３と、裏面４Ｂに面状ファスナーの雌部９が全面にわたって形成された肘部材４と、裏面５Ｂに面状ファスナーの雌部９が全面にわたって形成された下方部材５とを、備え、上記上方部材３・上記肘部材４の上記各雌部９，９に着脱自在な面状ファスナーの雄部８を一面１１に有し上記上方部材３と上記肘部材４を連結分離可能に連結する第１連結片１と、上記上方部材３又は上記肘部材４の上記雌部９と上記下方部材５の上記雌部９に着脱自在な面状ファスナーの雄部８を一面１２に有し上記上方部材３又は上記肘部材４と上記下方部材５を連結分離可能に連結する第２連結片２とを、備えたので、使用者の好みに応じて７パターンの多様な使用形態を選択できる。第１連結片１・第２連結片２を取外して上方部材３又は肘部材４または下方部材５を単独で使用することができる。上方部材３又は肘部材４または下方部材５を単独で使用する際、邪魔にならないように第１連結片１・第２連結片２を取外すことができ、上方部材３と肘部材４を連結して使用する際には、第１連結片１を面状ファスナーにて取着して容易かつ迅速に連結状態とすることができ、かつ、上方部材３又は肘部材４と下方部材５を連結して使用する際には、第２連結片２を面状ファスナーにて取着して容易かつ迅速に連結状態とすることができる。製造メーカーや販売店にとっては、商品の数、あるいは、部品点数を少なくでき、在庫管理がし易く、かつ、流通も容易であり、コストを低減できる。使用者の好みやプレースタイルに合わせて、上方部材３と肘部材４と下方部材５の取着位置を自在に調整できる。
【符号の説明】
【００２６】
１  連結片（第１連結片）
２  連結片（第２連結片）
３  上方部材
３Ｂ  裏面
４  肘部材
４Ｂ  裏面
５  下方部材
５Ｂ  裏面
８  面状ファスナーの雄部
９  面状ファスナーの雌部
１１  一面
１２  一面
【図１】
0006268210.tif 000002
【図２】
0006268210.tif 000003
【図３】
0006268210.tif 000004
【図４】
0006268210.tif 000005
【図５】
0006268210.tif 000006
【図６】
0006268210.tif 000007
【図７】
0006268210.tif 000008
【図８】
0006268210.tif 000009
【図９】
0006268210.tif 000010
【図１０】
0006268210.tif 000011
【図１１】
0006268210.tif 000012
【図１２】
0006268210.tif 000013